(57)【特許請求の範囲】
【請求項１】
温水源と、該温水源からの水を洗浄ノズルに導く主流路と、該温水源又は主流路から分岐した捨て水流路と、該温水源からの水の温度に応じて捨て水動作する捨て水弁装置とを備え、
該捨て水弁装置は、該捨て水流路の水と接する形状記憶材料製のバネと、該バネによって移動する弁体とを有し、該バネと接する水の温度が該形状記憶材料の変態温度よりも低いときには、該バネが縮短状態にあり、該弁体が捨て水放出位置をとり、
該バネと接する水の温度が該変態温度よりも高いときには、該バネが伸長状態となることにより該弁体が捨て水停止位置をとる温水洗浄装置において、
該捨て水流路の水と接するように配置されており、この捨て水の温度が所定温度よりも高くなると伸長し、該所定温度よりも低くなると縮短する感温体と、
該感温体の伸長及び縮短に連動して移動する温度表示部材と
を備えたことを特徴とする温水洗浄装置。
【請求項２】
請求項１において、前記温度表示部材は、不透明又は半透明な液体が封入された容器内に上下方向移動可能に配置されており、
該容器の上面の少なくとも一部が透明部となっており、
該温度表示部材の上面に温度表示用の色彩、図形又は文字が設けられており、
前記感温体が縮短状態にあるときには前記温度表示部材が該液体中に埋没状態にあり、前記感温体が伸長すると該温度表示部材が該液体の液面付近に上昇し、前記透明部を介して該温度表示部材の上面が視認可能となることを特徴とする温水洗浄装置。
【請求項３】
請求項２において、前記感温体は前記バネを構成する前記形状記憶材料と変態温度が略等しい形状記憶材料製のスプリングよりなることを特徴とする温水洗浄装置。
【請求項４】
請求項３において、前記捨て水弁装置は、
略円筒状であり、筒軸心方向を上下方向とした弁箱と、
該弁箱内に上下方向移動可能に配置された前記弁体と、
該弁体の下側に配置された前記バネと、
下端が該弁体に連なり、上端が該弁箱から上方へ突出している筒状体と、
該筒状体の上端に連なる前記容器と、
該筒状体の内外を連通する通水開口と、
該筒状体の内部に配置された前記スプリングと、
該筒状体の内部において、該スプリングの上側に上下動可能に配置された第１のマグネットと、
該筒状体の内部において該スプリングの下側に配置された、該第１のマグネットと吸引し合う磁性体と、
前記容器内に配置された前記温度表示部材と
を備えており、
該温度表示部材は、少なくとも一部が、前記第１のマグネットと反発する第２のマグネットにて構成されており、該第１のマグネットが上昇すると、第２のマグネットの反発力により温度表示部材が上昇するよう構成されており、
前記弁箱は、下部が上部よりも内径が大きい大径部とされ、上部が下部よりも内径が小さい小径部とされており、該大径部に流入口が設けられ、該小径部に流出口が設けられており、
前記弁体は、前記バネが縮短状態にあるときには該大径部に位置して開弁状態となり、該バネが伸長状態にあるときには該小径部に係合して閉弁状態となることを特徴とする温水洗浄装置。
【請求項５】
請求項１ないし４のいずれか１項において、前記捨て水弁装置の上流側の捨て水流路にダイヤフラム弁が設けられており、
該ダイヤフラム弁は、該捨て水弁装置が開弁すると開弁し、捨て水流路の水を便器へ放出するものであることを特徴とする温水洗浄装置。
【発明の詳細な説明】
【技術分野】
【０００１】
本発明は、便器に設置され、人体臀部を洗浄するための温水洗浄装置に係り、特に捨て水機構が改良された温水洗浄装置に関する。
【背景技術】
【０００２】
便器に設けられた温水洗浄装置は、温水源からの温水を洗浄ノズル先端から噴出させて人体臀部を洗浄するよう構成されている。この洗浄ノズルに供給される水の温度が低いときには、この水を便器等に捨て、所定温度の水（湯）を洗浄ノズルに導くようにした捨て水機構を設けることがある。特開２００５−３２０６９４には、人体が便座に着座すると、捨て水用電磁弁を開とし、サーモスタットミキシングバルブから混合水を便器へ排出することが記載されている。また、この混合水の水温を温度センサで検知し、水温が定常温度にまで上昇してきた場合には捨て水用電磁弁を閉とすること、この捨て水動作中には捨て水動作を表示灯の点滅によって表示すること、捨て水動作終了後はこの点滅を停止することがそれぞれ記載されている。
【０００３】
なお、同号公報には、捨て水用電磁弁の上流側に形状記憶合金製バネによって流路を絞る開度可変管路を設け、混合水の温度が上昇してきたときには捨て水流量を減少させることが記載されているが、この形状記憶合金バネは捨て水の動作切替を行うものではない。
【特許文献１】特開２００５−３２０６９４
【発明の開示】
【発明が解決しようとする課題】
【０００４】
上記特開２００５−３２０６９４では、サーモスタットミキシングバルブからの混合水の温度を温度センサで検出し、この検出温度に応じて捨て水電磁弁を開閉させるようにしている。
【０００５】
かかる構成の温水洗浄装置は、電気制御方式であるため、電源が必須である。
【０００６】
なお、管の外面に感温テープを貼り、該管内を流れる水の温度を感温テープの色変化によって表示することがあるが、管内の水の温度が管を介して感温テープに伝わるまで時間がかかると共に、感温テープは動作の俊敏性に劣る。
【０００７】
本発明は、電源を用いることなく捨て水動作に関する表示を感度良く行うことができる温水洗浄装置を提供することを目的とする。
【課題を解決するための手段】
【０００８】
請求項１の温水洗浄装置は、温水源と、該温水源からの水を洗浄ノズルに導く主流路と、該温水源又は主流路から分岐した捨て水流路と、該温水源からの水の温度に応じて捨て水動作する捨て水弁装置とを備え、該捨て水弁装置は、該捨て水流路の水と接する形状記憶材料製のバネと、該バネによって移動する弁体とを有し、該バネと接する水の温度が該形状記憶材料の変態温度よりも低いときには、該バネが縮短状態にあり、該弁体が捨て水放出位置をとり、該バネと接する水の温度が該変態温度よりも高いときには、該バネが伸長状態となることにより該弁体が捨て水停止位置をとる温水洗浄装置において、該捨て水流路の水と接するように配置されており、この捨て水の温度が所定温度よりも高くなると伸長し、該所定温度よりも低くなると縮短する感温体と、該感温体の伸長及び縮短に連動して移動する温度表示部材とを備えたことを特徴とするものである。
【０００９】
請求項２の温水洗浄装置は、請求項１において、前記温度表示部材は、不透明又は半透明な液体が封入された容器内に上下方向移動可能に配置されており、該容器の上面の少なくとも一部が透明部となっており、該温度表示部材の上面に温度表示用の色彩、図形又は文字が設けられており、前記感温体が縮短状態にあるときには前記温度表示部材が該液体中に埋没状態にあり、前記感温体が伸長すると該温度表示部材が該液体の液面付近に上昇し、前記透明部を介して該温度表示部材の上面が視認可能となることを特徴とするものである。
【００１０】
請求項３の温水洗浄装置は、請求項２において、前記感温体は前記バネを構成する前記形状記憶材料と変態温度が略等しい形状記憶材料製のスプリングよりなることを特徴とするものである。
【００１１】
請求項４の温水洗浄装置は、請求項３において、前記捨て水弁装置は、略円筒状であり、筒軸心方向を上下方向とした弁箱と、該弁箱内に上下方向移動可能に配置された前記弁体と、該弁体の下側に配置された前記バネと、下端が該弁体に連なり、上端が該弁箱から上方へ突出している筒状体と、該筒状体の上端に連なる前記容器と、該筒状体の内外を連通する通水開口と、該筒状体の内部に配置された前記スプリングと、該筒状体の内部において、該スプリングの上側に上下動可能に配置された第１のマグネットと、該筒状体の内部において該スプリングの下側に配置された、該第１のマグネットと吸引し合う磁性体と、前記容器内に配置された前記温度表示部材とを備えており、該温度表示部材は、少なくとも一部が、前記第１のマグネットと反発する第２のマグネットにて構成されており、該第１のマグネットが上昇すると、第２のマグネットの反発力により温度表示部材が上昇するよう構成されており、前記弁箱は、下部が上部よりも内径が大きい大径部とされ、上部が下部よりも内径が小さい小径部とされており、該大径部に流入口が設けられ、該小径部に流出口が設けられており、前記弁体は、前記バネが縮短状態にあるときには該大径部に位置して開弁状態となり、該バネが伸長状態にあるときには該小径部に係合して閉弁状態となることを特徴とするものである。
【００１２】
請求項５の温水洗浄装置は、請求項１ないし４のいずれか１項において、前記捨て水弁装置の上流側の捨て水流路にダイヤフラム弁が設けられており、該ダイヤフラム弁は、該捨て水弁装置が開弁すると開弁し、捨て水流路の水を便器へ放出するものであることを特徴とするものである。
【発明の効果】
【００１３】
本発明の温水洗浄装置にあっては、温水源からの水と接するように形状記憶材料製バネが配置されており、この温水源からの水の温度が低いときには該形状記憶材料製バネが縮短し、捨て水動作が行われる。温水源からの水の温度が高くなってくると、該形状記憶材料製バネが伸長し、捨て水動作が停止する。また、捨て水の温度が高くなると感温体が伸長し、これによって温度表示部材が移動し、これにより、温水源からの水の温度が高くなったことが使用者に知覚可能となる。
【００１４】
本発明では、感温体を温水源からの水と接するように配置しているので、上記温度表示部材の移動が俊敏なものとなる。感温体として請求項３の通り形状記憶合金などの形状記憶材料製スプリングを使用することにより、この温度表示部材の移動が十分に俊敏なものとなる。
【００１５】
本発明では、感温体の伸縮と連動して温度表示部材が移動することによって温水源からの温水の温度表示が行われるため、電源を用いることなくこの温度表示が行われる。
【００１６】
この温度表示部材の移動によって温度表示を行うための構成としては、請求項２のものが好適である。この構成によると、温水源からの温水温度が低いときには、感温体が縮短状態にあり、容器内の温度表示部材が不透明又は半透明な液体中に没し、温度表示部材上面の表示（色彩、図形又は文字）が視認されなくなる。温水源からの温水温度が高いと、感温体が伸長し、温度表示部材が上昇し、その上面が容器の透明部を透して視認可能となる。
【００１７】
請求項４の捨て水弁装置にあっては、容器を押して弁体を押し下げることにより、弁体が弁箱内の大径部に移動し、捨て水弁装置が開となり、捨て水が開始する。捨て水の温度が低いときには、形状記憶材料製バネが縮短（縮んで短くなること）状態となっており、捨て水動作が継続する。このとき、形状記憶材料製スプリングも縮短しており、該スプリングの上側の第１マグネットが低位置に位置する。このため、温度表示部材も不透明又は半透明の液体中に没した状態となり、該部材上面の温度表示が視認されない。
【００１８】
温水源からの水の温度が該バネ及びスプリングの変態温度以上になると、バネが伸長し、弁体が弁箱内の小径部にまで押し上げられ、捨て水弁装置が閉弁状態となり、捨て水が停止する。また、形状記憶材料製スプリングがこの暖かい水と接することにより伸長し、その上側の第１のマグネットが押し上げられる。この第１のマグネットが上昇すると、温度表示部材の第２のマグネットとの間に反発力が発生し、この反発力によって温度表示部材が上昇する。これにより、温度表示部材上面の温度表示が容器上面の透明部を透して視認される。
【００１９】
温水源からの水圧によって、この弁体の上昇状態が保たれる。この状態は、次に容器を押すまで継続する。
【００２０】
請求項５の温水洗浄装置によると、ダイヤフラム弁を開弁させることにより、捨て水を十分な流量にて流すことができる。
【発明を実施するための最良の形態】
【００２１】
以下、図面を参照して実施の形態について説明する。第１図は実施の形態に係る温水洗浄装置の系統図、第２図はダイヤフラム弁の断面図、第３図〜第５図は捨て水弁装置の断面図である。
【００２２】
この実施の形態では、温水洗浄装置は、ホテルなど、温水配管が壁などに引き回されたトイレルームに設置されている。温水がこの温水配管から供給されるため、温水洗浄装置にはヒータ付き温水タンクは設けられていない。ただし、本発明はヒータ付き温水タンクを有する温水洗浄装置にも適用可能である。
【００２３】
トイレルームの壁などに設けられた給湯止水栓及び給水止水栓にそれぞれ給湯配管１と給水配管２が連結されており、給湯配管１から温水が逆止弁３を介してサーモスタットミキシングバルブ４に導入可能とされ、給水配管２から常温の水が該サーモスタットミキシングバルブ４に導入可能とされている。
【００２４】
サーモスタットミキシングバルブ４で湯と水とが混合された混合水は、配管５、減圧弁付き高温遮断弁６、配管７、洗浄強さ調節用のつまみ８ａを有した流量調節弁８、配管９を介して洗浄ノズル１０へ導入可能とされている。この洗浄ノズル１０は、導入された温水をノズル１０ａの先端から人体臀部に向けて斜め上方へ噴出させるよう構成されている。
【００２５】
配管７からは捨て水用の配管１１が分岐している。この配管１１はダイヤフラム弁２０の流入口２１に接続されている。ダイヤフラム弁２０の流出口２２には、捨て水用配管１２が接続され、冷水を便鉢へ排出するように引き回されている。ダイヤフラム弁２０の背圧室出口２３には、背圧室２４からの水を前記配管１２に導くように配管１３、捨て水弁装置３０、配管１４がこの順に接続されている。
【００２６】
第２図に示す通り、ダイヤフラム弁２０内には、流入口２１と流出口２２とを隔てるように円筒形の弁座２５が立設されると共に、この弁座２５に上方から着座するようにダイヤフラム弁体２６が設置されている。ダイヤフラム弁体２６によってダイヤフラム弁２０内が主流路２７と背圧室２４とに区画されている。弁体２６には、主流路２７と背圧室２４とを連通する小孔２６ａが設けられている。背圧室２４内には、弁体２６を弁座２５へ着座する方向に付勢する背圧バネ２８が配置されている。
【００２７】
第３図〜５図に示す通り、捨て水弁装置３０は、略円筒状であり、筒軸心方向を上下方向とした弁箱３１と、該弁箱３１内に上下方向移動可能に配置された弁体３４と、該弁体３４の下側に配置された、形状記憶材料製のバネ３５等を有している。
【００２８】
この弁箱３１内は、下部が上部よりも内径が大きい大径部３１ａとされ、上部が下部よりも内径が小さい小径部３１ｂとされている。この大径部３１ａに流入口３２が設けられ、小径部３１ｂに流出口３３が設けられている。該流入口３２にダイヤフラム弁２０からの配管１３が接続されている。また、流出口３３に、前記捨て水用配管１２に合流する配管１４が接続されている。
【００２９】
弁体３４は、外径が該小径部３１ｂの内径と略同等となっている。第４図のように、この弁体３４が大径部３１ａ内に位置しているときには、該弁体３４の外周面と大径部３１ａの内周面との間の隙間を通って流入口３２から流出口３３へ水が流通可能であり、捨て水弁装置３０が開弁状態となる。また、第３，５図のように、この弁体３４が小径部３１ｂ内に係合すると、該流入口３２から流出口３３への水の流通が遮断され、捨て水弁装置３０が閉弁状態となる。符号３４ａは、この弁体３４の外周面と小径部３１ｂの内周面との間をシールするパッキンを示している。
【００３０】
この弁体３４の下面と弁箱３１の底面３１ｃとの間に前記バネ３５が配置されている。このバネ３５は弁箱３１内に露呈しており、前記流入口３２から弁箱３１内に流入した水がこのバネ３５に直に接する。
【００３１】
このバネ３５は、該バネ３５と接する水の温度が前記形状記憶材料の変態温度よりも低い場合には縮短（上下方向に縮んで短くなること）状態となり、この水の温度が該形状記憶材料の変態温度よりも高い場合には伸長（上下方向に伸びて長くなること）状態となる。弁体３４は、このバネ３５が縮短状態にあるときには該バネ３５によって引き下げられて大径部３１ａ内に位置し、このバネ３５が伸長状態にあるときには該バネ３５によって押し上げられて小径部３１ｂ内に係合する。
【００３２】
このバネ３５の形状記憶材料としては、変態温度が３３〜３７℃程度の形状記憶合金が好適である。
【００３３】
弁体３４の上側には筒状体３６が設けられている。この筒状体３６は、筒軸心方向を上下方向として配置され、下端が該弁体３４に連なり、上端が弁箱３１の上面開口３１ｄから上方即ち弁箱３１外へ突出している。符号３６ａは、この筒状体３６の外周面と弁箱３１の上面開口３１ｄの内周面との間をシールしたパッキンを示している。この筒状体３６は、弁体３４と一体的に上下動する。この筒状体３６の筒軸心方向の長さは、弁体３４が下降限まで下降しても、その上端側が弁箱３１から上方に突出しうる寸法となっている。
【００３４】
筒状体３６の上下方向の途中部には、該筒状体３６の内外を連通する通水開口３７が設けられている。この実施の形態では、複数個の通水開口３７が設けられている。図示の通り、少なくとも２個の通水開口３７，３７は、筒状体３６の直径方向に対峙する位置関係にて配置されている。また、この通水開口３７は、第４図の通り、弁体３４が下降限に位置しているときに、小径部３１ｂ内において前記流出口３３と略同高さに配置されている。なお、この通水開口３７は、第３，５図の通り、弁体３４が上昇限まで上昇しても、パッキン３６ａよりも下位に位置するようになっている。
【００３５】
筒状体３６の内部には、感温体としての形状記憶材料製のスプリング３８と、第１のマグネット３９と、該第１のマグネット３９と吸引し合う磁性体４０とが配置されている。このスプリング３８は、バネ３５を構成する形状記憶材料と変態温度が略等しい形状記憶材料により構成されている。第１のマグネット３９は、筒状体３６の内部において、このスプリング３８の上側に上下動可能に配置されている。また、磁性体４０は、該スプリング３８の下側に配置されている。
【００３６】
スプリング３８の形状記憶材料は、バネ３５の形状記憶材料と同一か又は若干（例えば０〜３℃、特に１〜２℃程度）低い変態温度の形状記憶合金が好ましい。
【００３７】
この実施の形態では、磁性体４０もマグネットよりなり、第１のマグネット３９とこの磁性体４０とは、各々のＮ極とＳ極とを向い合わせるようにして配置されている。ただし、この磁性体４０は、鉄などの、マグネット３９によって吸引されうる金属片であってもよい。
【００３８】
第３〜５図の通り、スプリング３８は、筒状体３６内において、この磁性体４０によって各通水開口３７と略同じ高さに支持されて各通水開口３７に臨んでいる。即ち、各通水開口３７を通って筒状体３６内に流入した水は、このスプリング３８に直に接する。このスプリング３８も、前述のバネ３５と同様に、該スプリング３８と接する水の温度がこのスプリング３８の形状記憶材料の変態温度よりも低い場合には縮短（上下方向に縮んで短くなること）状態となり、この水の温度が該形状記憶材料の変態温度よりも高い場合には伸長（上下方向に伸びて長くなること）状態となる。
【００３９】
このスプリング３８の伸縮に伴い、筒状体３６の内部において、第１のマグネット３９が上下動する。
【００４０】
該第１のマグネット３９と磁性体４０との吸引力は、スプリング３８と接する水の温度が前記形状記憶材料の変態温度よりも低い場合には、該スプリング３８を押し縮めて第１のマグネット３９を磁性体４０に接近させることが可能であり、且つ、この水の温度が該形状記憶材料の変態温度よりも高くなってスプリング３８が伸長する場合には、このスプリング３８の伸長力により第１のマグネット３９の磁性体４０からの離反を許容する程度の強さとなっている。
【００４１】
筒状体３６の上端に、温度表示部材４２を収容した容器４３が一体に連なっている。筒状体３６の内孔の上端側は、この容器４３の底面によって閉鎖されている。該温度表示部材４２は、この容器４３内に上下方向移動可能に配置されている。この容器４３内には不透明又は半透明な液体が封入されている。この液体としては、例えば着色を施したシリコンオイルなどを用いることができる。
【００４２】
この容器４３の上面には窓状の透明部４４が設けられており、この透明部４４を通して容器４３内を視認しうるようになっている。
【００４３】
該温度表示部材４２には、第１のマグネット３９と反発する第２のマグネット（図示略）が設けられている。即ち、この第２のマグネットと第１のマグネット３９とは、容器４３の底面を挟んで互いのＮ極同士又はＳ極同士が向かい合うように配置されている。なお、温度表示部材４２の全体が第２のマグネットにより構成されていてもよく、温度表示部材４２が部分的に第２のマグネットにより構成されていてもよい。
【００４４】
この温度表示部材４２の上面には、温度表示用の色彩、図形、又は文字（図示略）が設けられている。この表示としては、例えば、温水を連想させる赤色の彩色や、「温」あるいは「ＨＯＴ」等の文字などが挙げられる。ただし、温度表示部材４２の上面の表示はこれに限定されない。
【００４５】
この捨て水弁装置３０は、便器上に設置された便座ボックスの操作パネル（図示略）等に設置されている。
【００４６】
このように構成された温水洗浄装置の使用方法及び作動について説明する。
【００４７】
用便後、用便者の臀部を洗浄ノズル１０で洗浄する場合、まず容器４３の透明部４４を目視し、この透明部４４を介して温度表示部材４２の温度表示が視認されるか確認する。
【００４８】
弁箱３１内の水の温度がスプリング３８の形状記憶材料の変態温度よりも低い場合には、第３図に示す通り、スプリング３８が第１のマグネット３９と磁性体４０との吸引力により押し縮められて縮短状態とされ、該第１のマグネット３９が筒状体３６内において低位置に位置している。これにより、この第１のマグネット３９から容器３９内の温度表示部材４２に対し該温度表示部材４２を押し上げるほどの反発力が作用せず、温度表示部材４２が容器４３内の不透明又は半透明の液体中に没した状態となっている。そのため、透明部４４を介して温度表示部材４２の温度表示が視認されない。
【００４９】
この場合、洗浄ノズル１０による洗浄スイッチ（図示略）を操作する前に、容器４３を押して弁体３４を押し下げ、捨て水弁装置３０を開弁させる。
【００５０】
このとき、第４図に示す通り、弁箱３１内の水の温度がバネ３５の形状記憶材料の変態温度よりも低い状態では、容器４３を押し下げた後、容器４３への押圧力を解除しても、該弁体３４の下側のバネ３５は縮短したままとなっており、捨て水弁装置３０の開弁状態が継続する。
【００５１】
この捨て水弁装置３０が開弁することにより、配管１３を介してダイヤフラム弁２０の背圧室２４から水が流出するため、該背圧室２４内の水圧が主流路２７内の水圧よりも低くなり、この水圧差によりダイヤフラム弁体２６が弁座２５から離反し、該主流路２７内から流出口２２及び配管１２を通って水が便鉢へ排出される。また、このとき、該主流路２７内の水の一部は、小孔２６ａを通って背圧室２４に流入し、この背圧室２４から配管１３、捨て水弁装置３０、配管１４を経て配管１２へ流出する。
【００５２】
この捨て水に伴い、サーモスタットミキシングバルブ４で生成された温水が配管５へ供給される。
【００５３】
この温水は、配管５、減圧弁付き高温遮断弁６、配管７，１１、ダイヤフラム弁２０、配管１２の順に流れる。また、この温水の一部は、ダイヤフラム弁体２６の小孔２６ａから背圧室２４及び配管１３を通って捨て水弁装置３０の弁箱３１内にまで流れ込み、弁箱３１内の水温を上昇させる。そして、この弁箱３１内のバネ３５及びスプリング３８に接する水の温度が該バネ３５及びスプリング３８の形状記憶材料の変態温度以上になると、該バネ３５及びスプリング３８がそれぞれ伸長する。
【００５４】
このバネ３５の伸長により、弁体３４が上昇して弁箱３１の小径部３１ｂ内に係合し、捨て水弁装置３０が閉弁状態となる。この結果、ダイヤフラム弁２０の背圧室２７から捨て水弁装置３０への水の流出が停止するため、小孔２６ａを通って主流路２７から背圧室２４に流入する水によりダイヤフラム弁体２６が徐々に下降し、遂にはダイヤフラム弁体２６が弁座２５に着座してダイヤフラム弁２０も閉弁される。これにより、捨て水が停止する。
【００５５】
また、捨て水弁装置３０内では、第５図に示す通り、温水と接したスプリング３８が伸長することにより、第１のマグネット３９が押し上げられる。この第１のマグネット３９が上昇すると、この第１のマグネット３９と容器４３内の温度表示部材４２との間に磁気的反発力が発生し、この反発力によって温度表示部材４２が容器４３内の液体の液面付近まで押し上げられる。これにより、温度表示部材４２の上面の温度表示が容器４３の上面の透明部４４を透して視認されるようになり、捨て水が終了したことが便器使用者に視認される。
【００５６】
なお、小孔２６ａ、背圧室２４及び配管１３を介して弁箱３１内に伝達される温水の水圧によって弁体３４の上昇状態が保たれる。この状態は、次に容器４３を押すまで継続する。
【００５７】
この透明部４４に温度表示部材４２の温度表示が視認された後、洗浄ノズル１０による洗浄スイッチを操作する。このとき、捨て水は終了しているので、洗浄開始直後から温水が便器使用者の臀部に噴出される。
【００５８】
捨て水すべく容器４３を押してから時間が経過し、弁箱３１内の温水の温度が低下すると、スプリング３８に接する水の温度が該スプリング３８の形状記憶材料の変態温度以下になる。そうすると、第１のマグネット３９と磁性体４０との間の吸引力により該第１のマグネット３９がスプリング３８を押し縮めて降下する。これにより、該第１のマグネット３９と温度表示部材４２との間の反発力が低下し、該温度表示部材４２が自重により容器４３内の不透明又は半透明の液体中に没する。この結果、温度表示部材４２の上面の温度表示が容器４３の上面の透明部４４を透して視認されなくなり、洗浄水の温度が低下していることが便器使用者に認識される。
【００５９】
以上のように、この温水洗浄装置によれば、感温体としての形状記憶材料製スプリング３８の伸縮と連動して温度表示部材４２が移動することによって温水源からの温水の温度表示が行われるため、電源を用いることなくこの温度表示が行われる。
【００６０】
この温水洗浄装置では、この形状記憶材料製スプリング３８を温水源からの水と接するように配置しているので、温度表示部材４２の移動が俊敏である。
【００６１】
上記の実施の形態は、本発明の一例を示すものであり、本発明は上記の実施の形態に限定されない。
【図面の簡単な説明】
【００６２】
【図１】実施の形態に係る温水洗浄装置の系統図である。
【図２】ダイヤフラム弁の断面図である。
【図３】捨て水弁装置の断面図である。
【図４】捨て水弁装置の断面図である。
【図５】捨て水弁装置の断面図である。
【符号の説明】
【００６３】
４  サーモスタットミキシングバルブ
６  減圧弁付き高温遮断弁
８  流量調節弁
１０  洗浄ノズル
２０  ダイヤフラム弁
３０  捨て水弁装置
３１  弁箱
３２  流入口
３３  流出口
３４  弁体
３５  形状記憶材料製バネ
３６  筒状部
３８  感温体としての形状記憶材料製スプリング
３９  第１のマグネット
４０  磁性体
４２  温度表示部材
４３  容器
４４  透明部
【図１】
0005018367.tif 000002
【図２】
0005018367.tif 000003
【図３】
0005018367.tif 000004
【図４】
0005018367.tif 000005
【図５】
0005018367.tif 000006